(57)【要約】【課題】  接眼レンズを通じて一つの眼でビューファインダのイメージを見なければならない。【解決手段】  カメラは本体およびその本体に装着された撮影レンズを有する。撮影レンズは、対象の領域を決定する。ビューウインドウは本体に結合される。ビューウインドウは対象の領域のイメージ光を伝えるビューウインドウはレチクルのホログラフィックのイメージをになう。光源はビューウインドウに面し、ホログラフィックのイメージを照らす。生成されたレチクルは両眼で見ることができ、つまり、撮影者はビューウインドウを通じて撮影のためにシーンまーのイメージを構成するために見る間、撮影者は両眼で見ることができる。【選択図】図１
2004246356.tif 000002
【特許請求の範囲】
【請求項１】
本体と、
本体に装着され、対象の領域を決定する撮影レンズと、
本体に結合され、対象の領域のイメージ光を伝え、レチクルのホログラフィックのイメージをになうビューウインドウと、
前記ホログラフィックのイメージを照らすために前記ビューウインドウに面する光源と、
を備えたことを特徴とするカメラ。
【請求項２】
本体と、
本体に装着され、対象の領域を決定する撮影レンズと、
本体に結合されたビューウインドウであり、前記対象の領域のイメージ光を伝え、レチクルのイメージを有するフラウンホーファホログラムであり、前記イメージ光および前記レチクルのイメージの双方を両眼で見ることのできるビューウインドウと、
前記ホログラフィックのイメージを照らすために前記ビューウインドウに面する光源と、
を備えたことを特徴とするカメラ。
【請求項３】
カメラで使用するホログラフィックビューファインダであって、
レチクルのホログラフィックイメージおよび、前記レチクル内で光を伝えるビューファインダのイメージエリアを有するビューウインドウと、
前記ビューウインドウを保持するビューファインダ枠と、
前記ビューファインダを前記カメラに結合するためのコネクタとを備えたことを特徴とするビューファインダ。
【発明の詳細な説明】
【技術分野】
【０００１】
この発明はカメラおよび写真に関し、特に、両眼で視覚可能なホログラフィックなビューファインダおよびカメラに関する。
【背景技術】
【０００２】
カメラの接眼レンズによるビューファインダは、一対のめがね、ダイブ用マスク、衣装マスク又は帽子のようなものを顔につけている新しい撮影者や人々にいくつかの困難を呈している。部分的な解決は、接眼レンズのビューファインダのサイズを大きくすることである。しかし、ビューファインダの接眼レンズのサイズの増大が比較的小さい程度でも、カメラのサイズおよび重量に比較的大きい増大をもたらす。別のアプローチとしては、米国特許No.5,500,702および米国特許出願No.2001/0016084A1に開示されている。これらの公報は、対象物に対してマーカーのビームを投影するイメージキャプチャーデバイスを開示している。ホログラフィック 光学式エレメントが、ビームのマーキング制作に回折光学エレメントが用いられる。このアプローチは、複雑で、そして、キャプチャーしたイメージ内に表れるマーカービームに危険を与える状況に対しては不適切である。このような状況は、多くの撮影者が同じシーンを撮影する時や、同じ時間にシーンがオーバーラップする時に起こる。
【０００３】
米国特許No.6,125,239は、回折光学エレメントとして作用するホログラフィック光学エレメントを組み込んだカメラのビューファインダを開示している。このホログラフィック光学エレメントは、接眼レンズを通じた情報のディスプレイからの光を撮影者に向けるために用いられる。
【０００４】
米国特許No.5,978,607は、ビューファインダのレンズの間にホログラフィックエレメントが介在するビューファインダを有するカメラを開示している。情報およびイメージは、走査ラスタ光源により、ホログラフィックエレメント上に投影される。ホログラフィックエレメントは、エッチングまたはペイント技術または同様なものによるフレーム用の型が与えられる。イメージの型も、光学システムの走査がされ、変調されたビームにより、ホログラフィックエレメント上に投影される。
【特許文献１】米国特許No.5,500,702
【特許文献２】米国特許出願No.2001/0016084A1
【特許文献３】米国特許No.6,125,239
【特許文献４】米国特許No.5,978,607
【発明の開示】
【発明が解決しようとする課題】
【０００５】
最後の二つの特許は、一つの眼で接眼レンズを通じてビューファインダのイメージを見なければならないという欠点を有する。先の二つの特許出願は、ビューファインダを通じて見ることを要求しないが、シーンを妨害する。
【０００６】
従って、キャプチャーされるべきシーンに対してマーカービームを投影せず、キャプチャーされるべきシーンが可視可能に限定され、そして、両眼で容易に認知できる、カメラおよびファインダを提供することが望ましい。
【課題を解決するための手段】
【０００７】
この発明は特許請求の範囲で限定される。この発明は、より広い態様にて、カメラおよびビューファインダを提供する。このカメラは、本体および、その本体にマウントされた撮影レンズを有する。撮影レンズは、対象の領域を限定する。ビューウィンドウが本体に接合される。そのビューウインドウは、対象物の領域のイメージ光に対して透過性である。ビューウィンドウは、レチクルのホログラフィックイメージを有する。光源は、ビューウィンドウに面し、ホログラフィックイメージを照らす。生じたレチクルは、両眼で見ることができ、すなわち、撮影者は、撮影のとき、ビューウィンドウを通じてシーンのイメージを構築する間、撮影者は両眼で見ることができる。
【発明の効果】
【０００８】
この発明の有利な効果は、キャプチャーされるべきシーンに向けてマーカービームが投影されず、そして、キャプチャーされるべきシーンが視覚可能に範囲が定められ、そして両眼で容易に認知できる。カメラおよびビューファインダが備えられることである。
【発明を実施するための最良の形態】
【０００９】
さて、図１、２および図１６〜１８を参照すると、カメラ１０は、キャプチャーユニット１４を保持する本体１２を有する。１つ以上の光学エレメントを有する撮影レンズ１６は、対象物の範囲を決定する。対象物の範囲内のシーンのイメージ光は、撮影レンズ１６によりキャプチャーユニット１４に伝わる。撮影レンズ１６の他の特徴は重要ではない。例えば、撮影レンズ１６は、焦点が固定されるか、焦点調節可能であってもよく、また、単一の焦点長であってもよく、あるいは焦点長可変のズームレンズであってもよい。撮影レンズ１６は、本体１２の対向する前面１８、後面２０を決定し、また、同時に光学軸２２(図１６〜１７にて点線で図示)を決定する。キャプチャーユニット１４は、撮影レンズ１６に対向するキャプチャー面２４(図２にて点線で図示)を有する。
【００１０】
用いられるキャプチャーユニット１４のタイプは重要でない。デジタルおよびフィルムのキャプチャーユニットが当業者には周知である。キャプチャーユニットの二つの例の概略図を図１６〜１７に示す。まず、図１６を参照すると、写真フィルムがキャプチャー媒体としたフィルムキャプチャーユニットが示される。そのフィルムは典型的に細長い帯フィルムの形態であり、フィルム巻取り部２８により、キャプチャー面２４上を１フレームづつ移送される。フィルム露光キャプチャーユニット１４ａは、一定の露光、または一つ以上のセンサ(不図示)により、または撮影者の選択により、検出されたシーンの状況に基づく可変の露光を与える。フィルム露光キャプチャーユニット１４ａは、シャッタレリーズ３４で動作するシャッタ３２を含む。フィルム露光ユニット１４ａは、一定または可変の開口プレートまたはダイヤフラム、ランゲファインダ、自動焦点機構および同様なもののような、他の露光に関係する機構(不図示)を含む。
【００１１】
図１７を参照すると、デジタルキャプチャーユニット１４ｂは同様であるが、電子イメージ生成器３６が写真フィルム２６を取替え、メモリ３８が、キャプチャーしたイメージを電気的に、および/または磁気的に、光学的に、または他の手段により、格納する。イメージ生成器３６は、メモリ３８および適宜にプログラムされたプロセッサまたは他の制御ユニット４２を含む制御システム４０の制御下にある。カメラ１０は、デジタルキャプチャーユニットまたはフィルムキャプチャーユニットまたはその双方を使用できる。これとは別に、又は同時に、電子的な検証を有するイメージキャプチャーに対して使用できる。
【００１２】
電子イメージ生成器３６のタイプは、利用可能ないくつかのソリッドトテートのイメージ生成器のもの(電荷結合デバイスCCD、CMOSイメージ生成器、または電荷注入デバイスCIDのごとき)が極めて好ましい。メモリ３８は、カメラ１０内に内蔵しても、取り外し可能としてもよい。使用されるメモリのタイプおよび、光学、磁気または電子のごとく、情報の格納方法は重要ではない。たとえば、取り外し可能のメモリは、フロッピィディスク、ＣＤ、ＤＶＤ、カセットテープまたはフラッシュメモリによるカードまたはスティックのいずれであってもよい。デジタル形態でのイメージの転送は、物理的なメディアにより、あるいは送信される電子信号であってもよい。
【００１３】
図１７に図示の実施例では、撮影レンズ１６は、可動の１枚以上のレンズがズームドライバ４４によって駆動されるモータ駆動のズームレンズである。制御ユニット４２を含む制御システム４０は、データの演算および一般的なプログラムの実行のためのＲＡＭまたは他のメモリを有する組み込みのマイクロプロセッサのような、適切に構成されたマイクロコンピュータの形態をなす。
【００１４】
図１７の実施例の撮影レンズユニット１６もオートフォーカスのものである。オートフォーカスのシステムは、センサ４８を含む測距計４６を有する。この測距計４６は、フォーカスドライバ５０を直接に、または制御システム４０を通じて動作させ、撮影レンズ１６の一つ以上のフォーカス用エレメント(不図示)を移動させる。デジタルズーム(光学ズームと等価なデジタルイメージの拡大)も光学ズームと結合して、またはその替わりに使用できる。
【００１５】
イメージ生成器３６への光経路は、ダイヤフラム/開口板５２および、イメージ生成器３６への光経路を閉じるシャッター３２を有する。“シャッター”の語は、広い意味で、イメージキャプチャーのために、イメージ生成器３６への光経路に沿った光の通過を許可し、そして他のタイミングでは禁止する機能を備える物理的および/またはロジックなエレメントに関する。“シャッター”は従って、それに限定されないが、すべてのタイプの機械的および電子機構のシャッターを含み、カメラ制御システムの制御下でイメージ作成動作がスタートされそして停止されることを許可する電子アレイのイメージ生成器のコンピュータのソフトウエアおよびハードウエアの特徴をも含む。周囲の状況を検知して制御システムに信号(これは、露光を変えるために、絞りプレート５２およびシャッター３２を変更する)を送るために、周囲センサ５１および周囲センサドライバ５３(図１７で点線で示す)が随意に備えられる。
【００１６】
シャッター３２は、機械的なシャッターの相対的な位置および電子シャッターの機能の双方を示すために、図１７に破線で示される。ＣＣＤを用いた時、イメージ生成器３６の電子シャッター機構は、非感光領域に備えられた遮光レジスタに基づき、蓄積荷電のシフトにより与えられる。これは、フレーム転送デバイスＣＣＤにあるように、またはインターライン転送デバイスＣＣＤにおける水平ラインにあるようにフルフレームであってもよい。適したデバイスおよび手順は、当業者に周知である。ＣＩＤを用いた時、各画素上の電荷は、露光の初めで基板に注入される。露光の終わりに、各画素内の電荷が読み出される。ここで遭遇する困難は、第１の画素は、最後の画素よりも露光時間が少ないことである。時間の差は、アレイ全体を読み出すために要求される時間である。このことは、全体の露光時間の合計および、アレイ全体を読み出すために要求される最大時間に大きく依存するかもしれないし、しないかもしれない。
【００１７】
イメージ生成器３６は、イメージ光を受け取り、そのイメージ光をアナログの電気信号、つまり、アナログの電子イメージに変換する。(便宜上、フイルムイメージおよび電子イメージはここでは一つにして述べる。同様な考慮は、フイルム、デジタルビデオカメラおよび、特定の写真撮影のためにキャプチャーされた多数のイメージにも適用される。)電子イメージ生成器３６は、イメージドライバー５６により駆動される。本体１２に装着されるイメージ表示器５８は、イメージ表示ドライバー６０により駆動され、ユーザーが見られるイメージ光を提供する。
【００１８】
異なるタイプのイメージ表示器を使用できる。例えば、イメージ表示器に液晶表示器(ＬＣＤ)、カソードレイ管の表示器または有機エレクトロルミネセンス表示器(OELD)、更に有機光放射表示器(OLED)も使用できる。
【００１９】
制御システム４０は、カメラ１０のコンポーネントを制御し、引き出されたイメージに関係する処理を実行する。その制御システム４０は、前述したように、制御ユニット４２およびメモリ３８を含み、また、アナログ／デジタルの変換器アンプ６２(図１７にて“A/Dコンバータ”で表示)、イメージプロセッサ６４をも含む。以下詳しく述べるように他のコンポーネントも備えられる。制御システム４０に対する適したコンポーネントは当業者に周知である。
【００２０】
キャプチャーされたアナログ電子イメージは増幅され、アナログ／デジタル変換器６２によってデジタル電子イメージに変換され、その後、イメージプロセッサ６４で処理され、メモリ３８に格納される。コンポーネントを接続する信号ライン６６はデータバスとして作用するのが一般に好ましい。制御ユニット４２は、制御信号を供給するタイミング発生器(特に図示せず)を含む。制御ユニット４２は、メモリ３８および、ズームドライバー４４、フォーカスドライバー５０、イメージドライバー５６、イメージ表示ドライバー６０、絞りドライバー６８およびシャッタードライバー７０を含むドライバーを動作させる。その制御ユニット４２は、フラッシュ機能を与えるストロボフラッシュ回路７２を接続する。
【００２１】
一つ以上の情報表示器７４は、露光、残りバッテリー状態、フラッシュ状態、注文プリント数、および同様なものごときカメラ情報を撮影者に提供するために、本体１２上に備えられる。情報をイメージにスーパーインポーズするか、イメージの替わりに表示するかして、情報が替わりにイメージ表示器５８に表示されるなら、その情報表示器７４は取り除くことができる。個別ならば、その情報表示器７４は情報表示ドライバー７６により動作される。
【００２２】
カメラ１０は、シャッターレリーズ３４および他のユーザー制御器を含むユーザー入力エレメントを有する。後者の二つは以下詳細に述べる。撮影するため、シャッターレリーズ３４がユーザーにより動作され、最初、セット状態から中間の状態に移行し、その後、レリーズされた状態になる。シャッターレリーズ３４は、典型的なカメラでは、釦を押すことにより実行される。
【００２３】
図１７に示した実施例では、シャッター釦は最初、“第１のストローク”に押し下げられ、第１のスイッチ８０が動作し、シャッターレリーズ３４をセット状態から中間状態にする。更に“第２のストローク”に押し下げられると、第２スイッチ８２が動作し、シャッターレリーズ３４を中間状態からレリーズされた状態になる。二つのストロークのシャッターレリーズは当業者には周知であり、第１のストロークは、オートフォーカス、自動露出、およびフラッシュユニットのごとき、露出設定用のカメラ１０のコンポーネントを動作させ、そして、第２のストロークで記録イメージのキャプチャーを行う。第１のストロークで光源８４(以下詳細に述べる)も動作させる。
【００２４】
図１〜１５および図１８を参照すると、ビューファインダ８６がカメラ本体１２に結合されている。カメラ本体１２の残りに関するビューファインダ８６の位置は変更できる。ビューファインダ８６比較的、撮影レンズ１６に近い中央、または周辺であってもよい。多くの使用のために、ビューファインダ８６がカメラ本体１２の外側で上側に位置するのが便利である。
【００２５】
ビューファインダ８６は、ビューファインダ枠１１２およびそのビューファインダ枠１１２に保持されたビューウインドウ１１４を有する。ビューファインダ枠１１２はビューウインドウ１１４を支持し、ある程度の衝撃に対して保護を与える。そのビューウインドウ１１４はビューファインダ枠１１２に対して固定される。ビューウインドウ１１４の固定方法は重要でない。例えば、図１４は、ビューファインダ１１４が、ビューファインダ枠１１２の内側にある肩部に圧入されるか、付着されている実施例を示す。図１５は、ビューウインドウ１１４が２片のビューファインダ枠１１２のそれぞれの部分１１８、１２０(これらはビューウインドウ１１４上で組み立てられる)の間に挟みこむようにして取り付けられた別の実施例を示す。
【００２６】
ビューウインドウをより完璧に支持し保護する別の構造を提供できる。例えば、透明のガラス又はプラスチックの保護用の前面および背面のパネルを、ビューウインドウの一方または両方の面に備えることができる。これとは別に、ビューウインドウおよびビューファインダ枠をポリマーによる単一材として形成できる。
【００２７】
そのビューファインダ８６は、カメラ本体１２に永久的に取り付けたり、あるいは所望により、取り付け、取り外し可能に単体にすることができる。図１、２の実施例では、ビューファインダ８６のビューファインダ枠１１２は、本体１２の上側の後端にヒンジ８８により本体１２に結合される。そのビューファインダ８６は２方向の矢印１００で示される方向に、図１、２に示した使用位置と、格納位置(不図示：この位置ではビューファインダ８６は本体１２の上面に対して平面となる）との間で可動である。
【００２８】
ビューファインダ８６のビューファインダ枠１１２は、一つ以上の取り外し可能なファスナーまたは同様なものの使用により、可逆的に取り外し可能となるように、本体１２に結合できる。使用されるファスナーのタイプは重要でない。例えば、ホックおよびループのファスナー、ファスナー上のねじ、およびスナップのファスナーを使用できる。図１２〜１３に示した実施例では、ビューファインダ８６は、ビューファインダ枠に固定される一対のスナップ(パチンと嵌る)のホック１０２を有し、そして、本体１２は一対の隔てられた個別のスナップループ１０４を有する。そのビューファインダ８６は、スナップループ１０４に対してスナップホック１０２を押すことにより、カメラ１０上に組み立てられる。スナップホック１０２の弾性体アーム１０６は曲がり、ループ１０４を通過すると、スナップ部が復元する。アーム１０６の自由端１０８は、スナップループ１０４に対して耐え、そしてビューファインダ８６を定位置に保持するように、位置する。ループ１０４から離れるように自由端１０８を変形させるようにして、アーム１０６を押し、そして、ビューファインダ８６を本体１２から離れるように押すことにより、ビューファインダ８６は開放される。
【００２９】
ビューファインダ８６は、水中カメラで使用できる。この場合、カメラ１０の外側部材のほとんどが防水性であり、ある用途では、圧力に耐えられるようにする。図１０〜１１に示した実施例では、本体１２と一体的なビューファインダ８６を有するカメラ１０は、外側防水ハウジング１１０内に収納される。図示の都合上、ハウジング１１０は、単純化され、シャッター釦および他の制御機構に適する防水機構は図示していない。防水および耐圧が、本体１２とビューファインダ枠１１２に対し個別に選択的に備えられてもよい。
【００３０】
図４〜５、図７〜９および図１８を参照すると、ビューウインドウ１１４は、レチクル１２２のホログラフィックイメージをになう反射ホログラムまたは透過ホログラムである。そのビューファインダは、対象とする領域のイメージ光を通過させる。撮影者１４０(眼を図示)は、カメラ１０でイメージ光１４４のキャプチャーのために、ホログラムを通じてシーン１４２(樹木を示す)を構成する。撮影者１４０は、シーン１４２のイメージ光１４６上にインポーズされたレチクル１２２(図１８では細長い棒)のホログラフィックイメージを見る。ビューウインドウおよびレチクル１２２は、撮影レンズ１６の光軸２２に整列される。レチクル１２２は、シーンの透過されたイメージ光の対象とする領域に対して範囲を定めるか、および／またはその領域を見る。図４〜５の実施例では、レチクルは、撮影者から十字中心に遠のく一対の点線による３次元のイメージである。同様なレチクルは図８〜９に示され、２対の点線は撮影者から十字中心に遠のく。
【００３１】
ビューウインドウ１１４は、通常の写真フイルムおよび通常のフイルム現像の使用により生成された吸収ホログラムであるが、吸収ホログラムは、比較的に高い密度であるという欠点を有する。これは、ユーザーがホログラムを通じてシーンを見ることを困難にする。従って、ホログラムは、ホログラフィックイメージが屈折率または表面のレリーフの変調によって与えられる、位相ホログラムが望ましい。例えば、銀粒子による感光乳剤層のホログラムが、透明の銀塩に変えるためにために漂白される手順が用いられる。生じた位相ホログラムは、曇っているが、ユーザーがすべての撮影状況下で使用するに十分な透明になるように容易に準備できる。位相ホログラムを準備するための手順は当業者に周知である。
【００３２】
ホログラムで示されたレチクル１２２は、物理的なオブジェクトに対するホログラフィックの写真であるか、あるいはコンピュータで発生されたものであってもよい。ホログラムが使用されるので、オブジェクトまたは明白なオブジェクトは２次元に制限されない。３次元で表示されるレチクル１２２は、ユーザーがシーンイメージ上を構築して容易に移動できるので、特に水中のような困難な状況下でユーザーに便利である。この例を、ユーザーにより、ビューウインドウ１１４を覗いてどのシーンを撮影するかを試みる図８〜９に示す。レチクル１２２の点線は、延びているが、イメージエリアを通じてではない。図７の(ａ)〜(ｌ)では、ビューウインドウ１１４のコーナーがしるし１２１により図式的に示される。
【００３３】
３次元で表示するホログラムを提供するための手順は、当業者には周知である。レチクル１２２のホログラムは、非反射性の背景に対して、ホログラフ的に反射板を撮影することにより準備できる。反射板は遠いフィールド(フラウンフォーファ)・ホログラムのために位置することができる。例えば、図８〜９に示されたビューウインドウ１１４は、比較的長い大きな寸法(１〜２メートルかそれ以上)を持ち、光軸２２に対して斜めの角度で位置する直線状の反射板をホログラフ的に撮影することにより、備えることができる。反射性材料内の非反射性の遮光板が点線を与える。中央の十字は平面であるか、光軸２２の方向に顕著な厚さを備えることができる。このことは、ユーザーの視線がビューウインドウ１１４および光軸２２に対して斜めになったとき、中央の十字が２次元で見えることを可能にする。
【００３４】
レチクル１２２により範囲が限定された視野がキャプチャーユニット１４の視野と一致することが好ましい。ビューファインダの視野領域とキャプチャーユニットの視野領域との間に、差を備えることが通常行われている。通常のビューファインダでは、ビューファインダにより示されるシーンは、典型的にビューキャプチャーユニットの領域の８０〜９５％である。その差は、撮影者が見るすべてが記録イメージにキャプチャーされることを確実にするためであり、周辺での付随的なイメージ内容をも撮影する。同じ実行が、ここで述べたカメラのレチクル１２２の範囲を決定においてもなされている。しかし、この発明を説明する都合上、レチクル１２２は記録イメージのキャプチャーユニット(フイルムまたはデジタル)の視野領域に１００％合致するシーンイメージを決定するという条件で
カメラ１０が一般的に説明され図示されている。このことはこの発明を述べる際に好都合となる。カメラ１０のレチクル１２２は、述べた他の特徴を変えることなく、キャプチャーユニット１４の視野領域の８０〜９５％に制限される。
【００３５】
もし、ビューファインダ８６が本体１２に対して回転可能ならば、ビューファインダ８６の使用位置への適した回転が正確なアライメントのために要求される。正確な処理を奨励する特徴が与えられる。例えば、使用のためにつめ(不図示)が備えられ、あるいは、ビューファインダを使用時および折りたたみ位置にバイアスするために、折りたたみ位置または上方・中心の機構(不図示)が備えられる。同様に、ビュアーウインドウは、厚いホログラムを持つことができ、ホログラムを見るために、再構成するビームに対応するブラッグ角での位置決めが要求される。この場合、撮影者は、適したブラッグ角に達するまで、本体１２に対するビューファインダ８６の回転を継続するための指示が与えられる。
【００３６】
ホログラムが撮影者に３次元で表れるレチクルイメージを与えることが特に好ましい。この結果として、ビューウインドウ１１４が両眼で見えることが好ましい。これは、ビューウインドウ１１４の寸法に対して実際的な制限をセットする。両眼で見られるビューウインドウ１１４は、人々の期待される、または平均のユーザーの目の間隔よりも大きい長さを有する。この寸法はビューウインドウ１１４の最大寸法にするのが便利である。ビューウインドウ１１４の長さおよび高さに対する実際的な寸法は、長さが１５mmから120mmで、高さが５mmから２０mmである。別の高さを与えることができるが、一般的に重要でない。ビューウインドウ１１４の厚さは０．２mmから２mmである。
【００３７】
撮影者はシーンを構成する時に、ビューウインドウ１１４を自身の目に接近させて保持する。その結果、ビューウインドウ１１４は、中間領域１２６(この領域はユーザが使用時に見ない領域)によって、一対の窓ガラス１２４(この領域はユーザーが使用時に眺める領域)に分割される。この中間の領域１２６は、ホログラムの連続する部分であるか、ブランクにされるか、あるいは完全に透明体であるか、あるいは図３に示されるように、避けることができる。この実施例では、ビューウインドウ１１４の二つの窓ガラス１２４は個別で分離している。ビューファインダ枠１１２は、二つのサブの部分１２８を持つ。各サブの部分１２８は、ビューウインドウ１１４のそれぞれの窓ガラス１２４に対する支持し、保護を与える。図３に示した実施例では、ビューウインドウ１１４の二つの窓ガラス１２４は、カメラ１０の本体１２に対してそれぞれ回転可能である。二つのサブの部分１２８が単一の部材のように一緒に回転するように連結されると便利である。
【００３８】
ビューファインダ８６は、ビューウインドウ１１４に向けて直接に照らす光源８４を有する。その光源８４は、ビューウインドウ１１４のホログラムを見えるように適切に選択される。たとえば、特定の波長の単色光源がある種のホログラムでは要求される。他のホログラムは白色光または不特定波長の単色光で見ることができる。光源８４は、そうでなければ、カメラ１０の他の要求に最良に合致するように選択される。図６の(ａ)〜(ｄ)は、異なった光源８４として、光発光ダイオード(ＬＥＤ)、白熱電球、蛍光管、およびネオン管をそれぞれ示している。光源８４の他のタイプも使用できる。
【００３９】
比較的高い光出力を有する光源８４が使用されるなら、実質的に一定の光出力とするため、および過度のバッテリ消費を避けるために、ゲインコントロールでその出力を制限するのが望ましい。適したゲインコントロールの例は、U.S.特許 No.5515392の名称“LASER DIODE CONTROL CIRCUIT WITH POWER SUPPLY COMPENSATION NETWORK”に開示されている。
【００４０】
図面において、光源８４は、ビューウインドウ１１４に関して中央に位置する。光源８４は、所望により、ビューウインドウ１１４の長い方の寸法と平行にシフトさせることもできる。多数の光源８４のいくつか、あるいは異なるタイプを使用できる。光は、光パイプまたは他の波長ガイド(不図示)を通じてランプからビューウインドウ１１４へ伝わる。
【００４１】
光源８４は、図１および３に示したように本体１２に装着でき、または図１２に示すように、ビューファインダ８６の一部に装着できる。その光源８４は、使用されるホログラムのタイプに適した側でビューウインドウ１１４に面する。透過ホログラムに対しては、光源８４はビューウインドウ１１４の前方に装着され、光はビューウインドウ１１４を透過してレチクル１２２を見えるようにする。反射ホログラムに対しては、光源８４はビューウインドウ１１４の背後に装着され、光はホログラムを反射してユーザーに到達する。
【００４２】
光源８４は、図１および３で示したように、カメラ１０の本体１２に装着でき、または図１２で示したようにビューファインダ８６に装着できる。その光源８４は、バッテリのような電源１３０に接続され、スイッチ(図１６に図示)を通じて、または制御システム４０を通じて点灯される。
【００４３】
電源１３０およびスイッチ１３２は、ビューファインダ８６内にまたはカメラ１０の本体１２内に備えられる。それについて図１６に概略的に示す。そのビューファインダ８６は、光源８４、電源１３０、スイッチ１３２および回路を構成する導体１３４を含む。ビューファインダ８６はフイルムカメラ１０の本体１２に結合される。ビューファインダ８６内に水平方向の点線１３６は、そのライン下のコンポーネント、つまり光源８４、電源１３０、スイッチ１３２および導体１３４が、カメラ１０の本体１２へ移動できることを示す。垂直方向の点線１３８は、別の代替を示し、光源８４はビューファインダ８６の一部であり、電源１３０およびスイッチ１３２は本体１２の一部である。導体１３４およびコネクタ(分離して示していない)は回路を構成するために要求されるものとして備えられる。図１７に示したカメラの実施例は、同様な方法で変形できる。
【００４４】
図１２、１３で示した実施例では、光源８４は、ビューファインダ枠１１２と一体的にして装着される。電源１３０および他の回路の部品もビューファインダ８６内に含むことができる。
【００４５】
ここで述べたビューファインダ８６は単純で便利であるが、変化しない限定された情報を提供する。所望により追加的な情報が与えられてもよい。たとえば、持ち上げタイプのディスブレイユニットがビューウインドウ１１４の窓ガラス１２４に沿ったビューファインダ８６内に含まれてもよい。このような持ち上げタイプのディスプレイは、米国特許、No.5,892,598の名称“HEAD UP DISPLAY UNIT, LIQUID CRYSTAL DISPLAY PANEL, AND METHOD OF FABRICATING THE LIQUID CRUSTAL DISPLAY PANEL”に開示されているように、液晶デバイスまたは他のディスプレイパネルからの光を偏向するためにホログラムを用いることができる。そのビューウインドウ１１４は、レチクル１２２を持つ一対の窓ガラス１２４に加えて、異なるホログラムまたは他のディスプレイ性質を持つ他のエリアを持つことができる。光源８４は、米国特許No.5,892,598でのこれらのものに似ており、ビューウインドウ１１４および持ち上げタイプのディスプレイの窓ガラス１２４により共有できる。
【００４６】
この発明は、それの好ましい特定の実施例に関連して述べてきたが、この発明の範囲内で変更および修正を行えることが理解されよう。
【００４７】
［発明の他の特徴］
他の特徴を以下の番号を付した文章で説明する。
１．カメラは、本体と、本体に装着され、対象の領域を決定する撮影レンズと、本体に結合され、対象の領域のイメージ光を伝え、レチクルのホログラフィックのイメージをになうビューウインドウと、前記ホログラフィックのイメージを照らすために前記ビューウインドウに面する光源とを備える。
２．文章１のカメラでは、前記光源および前記レチクルを両眼で見ることができる。
３．文章２のカメラでは、前記ビューウインドウは少なくとも５０mm幅である。
４．文章２のカメラでは、前記ビューウインドウは一対の分離した窓ガラスである。
５．文章１のカメラでは、前記ビューウインドウは一対の分離した窓ガラスである。
６．文章１のカメラでは、ビューウインドウは位相ホログラムである。
７．文章１のカメラでは、前記レチクルは、前記対象の領域の中心を示す。
８．文章６のカメラでは、前記ビューウインドウは離隔した二つの窓ガラスを持つ。
９．文章１のカメラでは、ビューウインドウは反射ホログラムである。
１０．文章１のカメラでは、ビューウインドウは透過ホログラムである。
１１．文章１のカメラは、前記撮影レンズのシャッターをきるシャッターおよび前記シャッターの動作に結合されたシャッターレリーズを有するシャッター機構を更に備え、前記シャッターレリーズは、光源が消灯され、前記シャッターが閉じた準備状態と、光源が点灯され、シャッターが閉じられた用意状態と、および、シャッターが瞬間的に開放されるイメージキャプチャー状態とを有する。
１２．文章１のカメラでは、前記本体が内部空間を囲み、前記ビューウインドウが前記空間の外部にある。
１３．文章１２のカメラは、前記ビューウインドウを保持するビューファインダ枠を更に備え、前記ビューファインダ枠は、前記ビューアインドウを前記本体に結合し、前記ビューファインダ枠は、前記本体から過逆的に取り外し可能である。
１４．文章１３のカメラでは、前記光源が前記ビューファインダ枠に配置される。
１５．文章１４のカメラでは、前記ビューファインダ枠が前記光源に接続された電源を含む。
１６．カメラは、本体と、本体に装着され、対象の領域を決定する撮影レンズと、本体に結合されたビューウインドウであり、前記対象の領域のイメージ光を伝え、レチクルのイメージを有するフラウンホーファホログラムであり、前記イメージ光および前記レチクルのイメージの双方を両眼で見ることのできるビューウインドウと、前記ホログラフィックのイメージを照らすために前記ビューウインドウに面する光源とを備える。
１７．文章１６のカメラでは、前記本体が内部空間を囲み、前記ビューウインドウが前記空間の外部にある。
１８．文章１７のカメラでは、前記ビューウインドウは、前記本体から過逆的に取り外し可能である。
１９．文章１７のカメラは、前記ビューウインドウを前記本体に取り外し可能に結合するビューファインダ枠を更に備え、前記ビューファインダ枠は前記ビューウインドウと前記光源を保持する。
２０．文章１９のカメラでは、前記ビューファインダ枠が前記光源に接続された電源を含む。
２１．文章１６のカメラは、前記撮影レンズのシャッターをきるシャッターおよび前記シャッターの動作に結合されたシャッターレリーズを有するシャッター機構を更に備え、前記シャッターレリーズは、光源が消灯され、前記シャッターが閉じた準備状態と、光源が点灯され、シャッターが閉じられた用意状態と、および、シャッターが瞬間的に開放されるイメージキャプチャー状態とを有する。
２２．カメラで使用するホログラフィックビューファインダは、レチクルのホログラフィックイメージおよび、前記レチクル内で光を伝えるビューファインダのイメージエリアを有するビューウインドウと、前記ビューウインドウを保持するビューファインダ枠と、前記ビューファインダを前記カメラに結合するためのコネクタとを備える。
２３．文章２２のビューファインダは、前記ビューファインダ枠に配置された光源を更に備え、前記光源は、前記ビューウインドウに対して直接に向けられる。
２４．文章２３のビューファインダは、前記ビューファインダ枠内に配置された電源を更に備え、前記電源は、前記光源を点灯するように接続される。
２５．文章２２のビューファインダでは、前記ビューファインダのイメージ領域および前記レチクルを両眼で見ることができる。
【図面の簡単な説明】
【００４８】
【図１】この発明のカメラの実施例を示した斜視図で破線の矢印は、この図面および他の図面において、光源による放射光を示す。
【図２】図１中の断面ライン２−２に実質的に沿った断面図で、単純化のために本体内部は示していない。
【図３】この発明のカメラの別の実施例を示した斜視図である。
【図４】図１のカメラのビューファインダの背面図で、破線は、中央の十字の形状のレチクルと、ビューウインドウとの間で認識される区別を示す。
【図５】図３のカメラのビューファインダの背面図で、破線は、中央の十字の形状のレチクルと、ビューウインドウとの間で認識される区別を示す。
【図６】ビューウインドウおよびいくつかの代替の光源を線画で示す。
【図７】いくつかの代替のレチクルを示す。
【図８】図１のカメラの変形を用いる撮影者のほぼ線画による図である。レチクルが示されるが、撮影者が見るものが何かを示し、観察者に見えるものはない。このカメラのこの実施例は図１に似るが、異なるレチクルを持つ。
【図９】図８のビューファインダを背後から見たほぼ線画を示し、図８の撮影者で見られる３次元のシーンおよびレチクルを示す。
【図１０】カメラの別の実施例の部分展開した正面の斜視図である。
【図１１】図１０のカメラの正面の斜視図である。
【図１２】取り外し可能のホログラフィックビューファインダを含むカメラの別の実施例の正面の斜視図である。
【図１３】図１２のカメラの部分正面斜視図であり、取り外した状態の撮影ビューファインダを示す。
【図１４】図１のビューファインダの変形に対する縦断面図である。
【図１５】図１のビューファインダの別の変形に対する縦断面図である。
【図１６】カメラおよびビューファインダの実施例のブロック図である。
【図１７】デジタルキャプチャーシステムを持つカメラの別の実施例のブロック図である。
【図１８】撮影者により認識され、カメラによりキャプチャーされたイメージを示した概略図である。破線は、カメラによりキャプチャーされ、撮影者が見るイメージ光を示す。撮影者が見るレチクルのホログラフィックイメージは一対の実線によるバーで示す。
【符号の説明】
【００４９】
１０  カメラ
１２  本体
１４  キャプチャーユニット
１６  撮影レンズ
８６  ビューファインダ
１１２  ビューファインダ枠
１１４  ビューウインドウ
【図１】
2004246356.tif 000003
【図２】
2004246356.tif 000004
【図３】
2004246356.tif 000005
【図４】
2004246356.tif 000006
【図５】
2004246356.tif 000007
【図６】
2004246356.tif 000008
【図７】
2004246356.tif 000009
【図８】
2004246356.tif 000010
【図９】
2004246356.tif 000011
【図１０】
2004246356.tif 000012
【図１１】
2004246356.tif 000013
【図１２】
2004246356.tif 000014
【図１３】
2004246356.tif 000015
【図１４】
2004246356.tif 000016
【図１５】
2004246356.tif 000017
【図１６】
2004246356.tif 000018
【図１７】
2004246356.tif 000019
【図１８】
2004246356.tif 000020